(57)【要約】【課題】  タップ切替器の切替位置の如何にかかわらず感度が一定で、かつ、微故障の検出を可能にする高感度な変圧器保護用差動継電装置を得る。【解決手段】  タップ切替器を有する被保護変圧器ＴＲの高圧側と中圧側および低圧側にそれぞれ設けられた高圧側変流器ＣＴ１と中圧側変流器ＣＴ２および低圧側変流器ＣＴ３を介して高圧側リレー入力電流Ｉ１と中圧側リレー入力電流Ｉ２および低圧側リレー入力電流Ｉ３を取込み、被保護変圧器ＴＲの変成比と各変流器ＣＴ１，ＣＴ２，ＣＴ３の変流比および被保護変圧器ＴＲの接続状況から算出した基準電流Ｉ１Ｎ，Ｉ２Ｎ，Ｉ３Ｎによって各リレー入力電流Ｉ１，Ｉ２，Ｉ３の整合をとり差動演算を行なう変圧器保護用差動継電装置において、被保護変圧器ＴＲから前記タップ切替器の位置情報を入手し、基準電流Ｉ１Ｎ，Ｉ２Ｎ，Ｉ３Ｎを前記タップ切替器の切替位置に応じて算出する。【選択図】        図２
2005073324.tif 000002
【特許請求の範囲】
【請求項１】
タップ切替器を有する被保護変圧器の入力側と出力側から検出電流を取り込み、所定の基準電流によって各検出電流の整合をとり差動演算を行う変圧器保護用差動継電装置において、前記被保護変圧器から前記タップ切替器の切替位置情報を取得し、前記基準電流を前記タップ切替器の切替位置に応じて算出する基準電流算出手段を設けたことを特徴とする変圧器保護用差動継電装置。
【請求項２】
タップ切替器を有する被保護変圧器の高圧側と中圧側および低圧側にそれぞれ設けられた高圧側変流器と中圧側変流器および低圧側変流器を介して高圧側リレー入力電流と中圧側リレー入力電流および低圧側リレー入力電流を取込み、前記被保護変圧器の変成比と前記各変流器の変流比および前記被保護変圧器の接続状況から算出した基準電流によって前記各リレー入力電流の整合をとり差動演算を行なう変圧器保護用差動継電装置において、前記被保護変圧器から前記タップ切替器の切替位置情報を取得し、前記基準電流を前記タップ切替器の切替位置に応じて算出する基準電流算出手段を設けたことを特徴とする変圧器保護用差動継電装置。
【請求項３】
タップ切替器を有する被保護変圧器の入力側と出力側から検出電流を取り込み、所定の基準電流によって各検出電流の整合をとり差動演算を行う変圧器保護用差動継電装置において、前記被保護変圧器から前記タップ切替器の切替位置情報を取得し、前記タップ切替器の切替位置による差動誤差分を算出する差動誤差算出手段を設け、前記差動誤差算出手段により算出した前記タップ切替器の切替位置による差動誤差分を加味して動作判定を行うことを特徴とする変圧器保護用差動継電装置。
【請求項４】
タップ切替器を有する被保護変圧器の高圧側および低圧側にそれぞれ設けられた高圧側変流器および低圧側変流器を介して高圧側リレー入力電流および低圧側リレー入力電流を取込み、前記被保護変圧器の変成比と前記各変流器の変流比および前記被保護変圧器の接続状況から算出した基準電流によって前記各リレー入力電流の整合をとり差動演算を行なう変圧器保護用差動継電装置において、前記被保護変圧器から前記タップ切替器の切替位置情報を取得し、前記タップ切替器の切替位置による差動誤差分を算出する差動誤差算出手段を設け、前記差動誤差算出手段により算出した前記タップ切替器の切替位置による差動誤差分を加味して動作判定を行うことを特徴とする変圧器保護用差動継電装置。
【請求項５】
前記タップ切替器の切替位置情報について、全タップの個数分ではなく、隣合う複数のタップを纏めて取得することを特徴とする請求項１または請求項２に記載の変圧器保護用差動継電装置。
【請求項６】
前記タップ切替器の切替位置情報入力回路の監視を行う監視手段を設け、切替位置情報入力回路に不良が発生した場合は、前記タップ切替器の切替位置による差動誤差分の最大値を加味した動作値へ切替えるとともに、基準電流は定格電圧を用いて算出することを特徴とする請求項１また請求項２に記載の変圧器保護用差動継電装置。
【発明の詳細な説明】
【技術分野】
【０００１】
この発明は、変圧器保護用差動継電装置、特に、タップ切替器を有する変圧器を保護するための変圧器保護用差動継電装置に関する。
【背景技術】
【０００２】
変圧器保護回路を示す図１において、タップ切替器を有する変圧器ＴＲにおける、高圧側変流器ＣＴ１と中圧側変流器ＣＴ２および低圧側変流器ＣＴ３からの電流を比率差動継電器８７へ導入する構成となっている。
【０００３】
図２に示す比率差動継電器の機能ブロック図は、図１の比率差動継電器８７に対応する。
従来技術による変圧器保護用差動継電器は、この発明による実施の形態における比率差動継電器の機能ブロック図を示す図２において、基準電流算出部２３，２４を具備していない構成を有している。
【０００４】
高圧側変流器ＣＴ１と中圧側変流器ＣＴ２および低圧側変流器ＣＴ３から導入された電流ＩＣＴ１とＩＣＴ２およびＩＣＴ３はアナログ／デジタル変換器Ａ／Ｄを通して、デジタル量Ｉ１とＩ２およびＩ３に変換され、演算部ＣＰＵにおいてソフト処理される。
【０００５】
整合計算部１１，１２，１３では、入力された夫々のデジタル量Ｉ１とＩ２およびＩ３を夫々の基準電流Ｉ１ＮとＩ２ＮおよびＩ３Ｎで除算し、Ｉ１’とＩ２’およびＩ３’に変換する。
【０００６】
動作量作成部１４では、整合計算されたＩ１’とＩ２’およびＩ３’のベクトル和ＩＤ＝Ｉ１’＋Ｉ２’＋Ｉ３’(ＩＤ：動作量と称す)を作成する。また、振幅値演算部１５では、この動作量ＩＤの振幅値｜ＩＤ｜を求める。
【０００７】
振幅値演算部１６，１７，１８では、整合計算された夫々のＩ１’とＩ２’およびＩ３’の振幅値｜Ｉ１’｜、｜Ｉ２’｜、｜Ｉ３’｜を求め、ここで夫々求めた振幅値を抑制量作成部１９へ導入し、抑制量作成部１９では、整合計算されたＩ１’とＩ２’およびＩ３’の最大値｜ＩＲ｜＝ＭＡＸ（｜Ｉ１’｜、｜Ｉ２’｜、｜Ｉ３’｜）（ＩＲ：抑制量と称す）を作成する。
【０００８】
単純差動演算部２０では、動作量ＩＤの振幅値｜ＩＤ｜が一定値以上となったとき(｜ＩＤ｜≧Ｋ１、Ｋ１は定数)となったときに出力する。
【０００９】
また、比率差動演算部２１では、動作量｜ＩＤ｜と抑制量｜ＩＲ｜の関係式（｜ＩＤ｜−Ｋ２・｜ＩＲ｜、Ｋ２は定数）が一定値以上となったとき（｜ＩＤ｜−Ｋ２・｜ＩＲ｜≧Ｋ３、Ｋ３は定数）に出力する。単純差動判定部２０および比率差動判定部２１の２つの出力の論理積を保護指令３１として出力する。
【００１０】
従来技術においては、整合計算部１１，１２，１３で用いる基準電流Ｉ１Ｎ，Ｉ２Ｎ，Ｉ３Ｎの算出に用いる被保護変圧器の高圧と中圧および低圧の電圧値は被保護変圧器のタップ切替器の切替位置のいかんにかかわらず定格電圧値を用いている。
【００１１】
整合計算部１１，１２，１３に用いる基準電流Ｉ１Ｎ，Ｉ２Ｎ，Ｉ３Ｎにおいて、タップ切替器の切替位置により被保護変圧器の変成比が変わることで生じる差動誤差分（以下、タップチェンジャー誤差と称す）は、この発明による実施の形態における説明に用いる表１に示されている。
【００１２】
表１によると、タップ切替器の位置が最大の場合又は最小の場合に、タップチェンジャー誤差の最大値が１０％を超え、このタップチェンジャー誤差の最大値に応じて最大差動誤差分が生じる。
従来の比率差動継電器はタップチェンジャー誤差とリレー誤差およびＣＴ誤差（ＣＴ：変流器）を加味し、一般的に最小動作値を３０％、差動比率を４０％（ただし、抑制量ＩＲを各端子入力電流の最大値とした場合）とすることで負荷電流および外部事故電流での誤動作を防止している。
したがって、動作感度をあまり上げることができない。
【００１３】
なお、刊行物による従来技術としては、変圧器の変成比の変更に連動してマッチング用定数が自動的に切り換えられるようにし、マッチング用定数を常に変成比に合ったものとすることが開示され（例えば、特許文献１参照）、また、負荷時タップ切り替え変圧器のタップ切り替えにより、その入力側についての情報と出力側についての情報との間の関係から生じる不整合量を補正し、負荷時タップ切り替え変圧器の保護動作を行う際の異常検出感度の低下を防ぐことが開示されている（例えば、特許文献２参照）。
しかしながら、このような先行技術では、差動誤差対策についての的確な具体的方策が開示されているとは言い難い。
【００１４】
【特許文献１】特開平７−２３１５５９号公報
【特許文献２】特開平８−３７７２８号公報
【発明の開示】
【発明が解決しようとする課題】
【００１５】
この発明は、差動演算を適切に行うことにより、タップ切替器の切替位置の如何にかかわらず感度が一定で、かつ、微故障の検出を可能にする高感度な変圧器保護用差動継電装置を得ることを目的とする。
【課題を解決するための手段】
【００１６】
この発明に係る変圧器保護用差動継電装置では、タップ切替器を有する被保護変圧器の入力側と出力側から検出電流を取り込み、所定の基準電流によって各検出電流の整合をとり差動演算を行う変圧器保護用差動継電装置において、前記被保護変圧器から前記タップ切替器の切替位置情報を取得し、前記差動演算を前記タップ切替器の切替位置に応じて行うようにしたものである。
【発明の効果】
【００１７】
この発明によれば、タップ切替器の切替位置の如何にかかわらず感度が一定で、かつ、微故障の検出を可能にする高感度な変圧器保護用差動継電装置を得ることができる。
【発明を実施するための最良の形態】
【００１８】
実施の形態１．
この発明による実施の形態１を図１から図３までについて説明する。図１は実施の形態１における変圧器保護用比率差動継電装置の全体構成を示すブロック図である。図２は実施の形態１における比率差動継電器の構成を示す機能ブロック図である。図３は実施の形態１における変圧器保護用比率差動継電装置の動作特性を示す線図である。
【００１９】
変圧器保護回路を示す図１において、タップ切替器を有する変圧器ＴＲにおける、高圧側変流器ＣＴ１と中圧側変流器ＣＴ２および低圧側変流器ＣＴ３からの電流を比率差動継電器８７へ導入する構成となっている。
【００２０】
図２に示す比率差動継電器の機能ブロック図は、図１の比率差動継電器８７に対応する。
高圧側変流器ＣＴ１と中圧側変流器ＣＴ２および低圧側変流器ＣＴ３から導入された電流ＩＣＴ１とＩＣＴ２およびＩＣＴ３はアナログ／デジタル変換器Ａ／Ｄを通して、デジタル量Ｉ１とＩ２およびＩ３に変換され、演算部ＣＰＵにおいて演算プログラムにより演算処理され、いわゆるソフト処理が行われる。
【００２１】
整合計算部１１，１２，１３では、入力された夫々のデジタル量Ｉ１とＩ２およびＩ３を夫々の基準電流Ｉ１ＮとＩ２ＮおよびＩ３Ｎで除算し、Ｉ１’とＩ２’およびＩ３’に変換する。
【００２２】
動作量作成部１４では、整合計算されたＩ１’とＩ２’およびＩ３’のベクトル和ＩＤ＝Ｉ１’＋Ｉ２’＋Ｉ３’(ＩＤ：動作量と称す)を作成する。また、振幅値演算部１５では、この動作量ＩＤの振幅値｜ＩＤ｜を求める。
【００２３】
振幅値演算部１６，１７，１８では、整合計算された夫々のＩ１’とＩ２’およびＩ３’の振幅値｜Ｉ１’｜、｜Ｉ２’｜、｜Ｉ３’｜を求め、ここで夫々求めた振幅値を抑制量作成部１９へ導入し、抑制量作成部１９では、整合計算されたＩ１’とＩ２’およびＩ３’の最大値｜ＩＲ｜＝ＭＡＸ（｜Ｉ１’｜，｜Ｉ２’｜，｜Ｉ３’｜）（ＩＲ：抑制量と称す）を作成する。
【００２４】
単純差動演算部２０では、動作量ＩＤの振幅値｜ＩＤ｜が一定値以上となったとき（｜ＩＤ｜≧Ｋ１’、Ｋ１’は定数）に出力する。
【００２５】
また、比率差動演算部２１では、動作量｜ＩＤ｜と抑制量｜ＩＲ｜の関係式（｜ＩＤ｜−Ｋ２・｜ＩＲ｜、Ｋ２は定数）が一定値以上となったとき（｜ＩＤ｜−Ｋ２・｜ＩＲ｜≧Ｋ３’、Ｋ３’は定数）に出力する。
これら単純差動判定部２０および比率差動判定部２１の２つの出力の論理積を保護指令３１として出力する。
【００２６】
ここで、この実施の形態１における差動誤差解消対策の対象となるタップチェンジャー誤差は、次の表１に示すものとして例示できる。
そして、この実施の形態１では、タップチェンジャー誤差の最大値に応じて生じる最大差動誤差を低減するものである。
【００２７】
【表１】
2005073324.tif 000003
【００２８】
そして、この実施の形態１では、基準電流算出部２３，２４を設けて、被保護変圧器側からタップ切替器の位置情報を全タップ分入手しタップ切替器の位置に応じた高圧側電圧と低圧側電圧にて高圧側基準電流Ｉ１Ｎ’と低圧側基準電流Ｉ３Ｎ’を得る構成としている。
【００２９】
したがってタップ切替器の位置が例えばタップ１（５２７．２１５ｋＶ／２２０ｋＶ／６９．１２３ｋＶ）であった場合の基準電流は、次の表２に示す値となる。
【００３０】
【表２】
2005073324.tif 000004
【００３１】
なお、被保護変圧器側からタップ切替器の切替位置情報を全タップ分入手する手段は限定しない。外部接点入力をデジタルインプット処理して取込むことや、他装置からネットワーク経由で取込むこと等が考えられる。
また、ここでは基準電流をタップ切替器の切替位置に応じて算出することとしたが、電圧値はタップ位置により一意に決まることから予め計算しておきデータテーブル上に記憶させておきタップ位置に応じた基準電流値を取出すこととしてもよく、基準電流値を得る手段は限定しない。
【００３２】
次に、作用について説明する。
先ず、負荷電流域で比率差動継電器の最小動作値を決める場合に、従来の比率差動継電器は最大のタップチェンジャー誤差とリレー誤差およびＣＴ誤差（ＣＴ：変流器）を加味し、一般的に最小動作値を３０％程度とし負荷電流域での誤動作を防止している。
【００３３】
この発明による実施の形態１に係る比率差動継電器では、タップ切替器の位置に応じて算出した基準電流にて図２に示す整合計算部１１、１２、１３における整合計算を実施するため、最小動作値にタップチェンジャー誤差を加味することなくリレー誤差およびＣＴ誤差のみを加味した１０％程度の高感度な最小動作値とすることができる上に、図３に示す負荷電流域での誤動作を防止できる。
【００３４】
また、外部事故電流域で比率差動継電器の比率を決める場合に、従来の比率差動継電器は最大のタップチェンジャー誤差とリレー誤差およびＣＴ誤差（ＣＴ：変流器）を加味し、一般的に比率を４０％程度（ただし、抑制量ＩＲを各端子入力電流の最大値とした場合）とし、外部事故電流域での誤動作を防止している。
【００３５】
この発明による実施の形態１に係る比率差動継電器では、タップ切替器の位置に応じて算出した基準電流によって図２に示す整合計算部１１、１２、１３における整合計算を実施するため、比率にタップチェンジャー誤差を加味することなくリレー誤差およびＣＴ誤差のみを加味した３０％程度の高感度な比率とすることができる上に、図３に示す外部事故電流域での誤動作を防止できる。
【００３６】
一方、内部事故時には図３の比率差動継電器の特性図に示すように、従来の比率差動継電器と比べて最小動作値および比率が高感度となることから、これまでは検出不能と割り切っていた被保護変圧器の１ターン故障等の微故障の検出が可能となる。
【００３７】
この発明による実施の形態１に係る変圧器保護用差動継電装置は、被保護変圧器の高圧側と中圧側および低圧側の交流電流を一定時間間隔でサンプリングして、アナログ／デジタル変換されたデジタル量として取り込み、前記交流電流のデジタル量をもとに演算を行う演算部と、前記演算部により前記交流電流の夫々のデジタル量を高圧側と中圧側および低圧側の夫々の基準電流で除算して得られる整合電流をもとに動作量と抑制量を演算し前記動作量と抑制量との関係から得られる合成電気量が所定値以上となったときに保護指令を出力する比率差動継電器８７において、タップ切替器の位置情報を取込みタップ切替器の位置に応じた基準電流を算出し、ここで算出した基準電流の値を前記整合計算に用いる基準電流算出部２３、２４を備えた。
【００３８】
したがってタップ切替器の位置が定格電圧と異なる位置にあった場合もタップ切替器の位置に応じた基準電流にて整合計算を実施できるためタップチェンジャー誤差は生じない。
【００３９】
この実施の形態においては、被保護変圧器のタップ切替器の切替位置いかんにかかわらず感度が一定で、かつ、微故障の検出を可能とする高感度な変圧器保護差動継電装置を提供することが可能となる。
【００４０】
この発明による実施の形態１によれば、タップ切替器を有する被保護変圧器ＴＲの高圧側と中圧側および低圧側にそれぞれ設けられた高圧側変流器ＣＴ１と中圧側変流器ＣＴ２および低圧側変流器ＣＴ３を介しそれらの検出電流として高圧側リレー入力電流Ｉ１と中圧側リレー入力電流Ｉ２および低圧側リレー入力電流Ｉ３を取込み、前記被保護変圧器ＴＲの変成比と前記各変流器ＣＴ１，ＣＴ２，ＣＴ３の変流比および前記被保護変圧器ＴＲの結線がスター結線であるかデルタ結線であるか等の被保護変圧器ＴＲにおける接続方式から算出した基準電流Ｉ１Ｎ，Ｉ２Ｎ，Ｉ３Ｎによって前記各リレー入力電流Ｉ１，Ｉ２，Ｉ３の整合をとり単純差動判定部２０および比率差動判定部２１において差動演算を行なう変圧器保護用差動継電装置において、前記被保護変圧器ＴＲから前記タップ切替器の切替位置情報を取得し、前記基準電流Ｉ１Ｎ，Ｉ２Ｎ，Ｉ３Ｎを前記タップ切替器の切替位置に応じて算出する基準電流算出部２３，２４からなる基準電流算出手段を設けたので、基準電流を前記タップ切替器の切替位置に応じて算出することにより、タップチェンジャー誤差を適切に回避して、タップ切替器の切替位置の如何にかかわらず感度が一定で、かつ、微故障の検出を可能にする高感度な変圧器保護用差動継電装置を得ることができる。
【００４１】
実施の形態２
この発明による実施の形態２を図４について説明する。図４は実施の形態２における構成を示す機能ブロック図である。
この実施の形態２において、ここで説明する特有の構成以外の構成については、先に説明した実施の形態１と同一の構成内容を具備し、同様の作用を奏するものである。図中、同一符号は同一または相当部分を示す。
【００４２】
この実施の形態２では、実施の形態１における図２に示す３端子の入力構成から２端子の入力構成とし基準電流算出部２３，２４を設ける代わりに、ＴＣ誤差（タップチェンジャー誤差）算出部２５を設けたものである。
【００４３】
そして、単純差動判定部２０および比率差動判定部２１において、所定値Ｋ１’またはＫ３’と比較される合成電気量からＴＣ誤差を減算する演算処理を行うことを特徴とする。
すなわち、タップチェンジャー誤差算出部２５から導出されたＴＣ誤差は、単純差動判定部２０および比率差動判定部２１に入力され、単純差動判定部２０および比率差動判定部２１における動作判定式で演算処理が行われる。
なお、特性図は実施の形態１と同様に図３に示される。
【００４４】
この実施の形態の比率差動継電器では、実施の形態１における作用に加え、被保護変圧器が２端子でありタップチェンジャー誤差が高圧−低圧間の差動誤差の１つであることからタップ切替器の位置に応じて一意にタップチェンジャー誤差が求まり、タップチェンジャー誤差算出部２５によっ導出できて、演算部の最終段の単純差動判定部２０および比率差動判定部２１における動作判定式でＴＣ誤差（タップチェンジャー誤差）を減算することができ、実施の形態１のように変動する基準電流を除算して整合電流を求めなくともよいので、ソフトウエアの処理を軽減することができる。
【００４５】
この発明による実施の形態２に係る変圧器保護用差動継電装置は、被保護変圧器ＴＲの高圧側および低圧側の交流電流を一定時間間隔でサンプリングして、アナログ／デジタル変換されたデジタル量として取り込み、前記交流電流のデジタル量をもとに演算を行う演算部と、前記演算部により前記交流電流の夫々のデジタル量を高圧側および低圧側の夫々の基準電流で除算して得られる整合電流をもとに動作量と抑制量を演算し前記動作量と抑制量との関係から得られる合成電気量が所定値以上となったときに保護指令を出力する比率差動継電器８７において、タップ切替器の位置情報を取込みタップ切替器の位置に応じてタップチェンジャー誤差を算出し、ここで算出したタップチェンジャーの誤差の値を前記合成電気量から減算して動作判定を行うためのタップチェンジャー誤差算出部２５を備えた。
【００４６】
したがって、被保護変圧器が２端子であった場合一意にタップチェンジャー誤差が決まるためタップ切替器の位置が定格電圧と異なる位置にあった場合も生ずるタップチェンジャー誤差を比率差動演算判定式にて補正することで比率差動継電器の誤動作を防止でき最小動作値を高感度に設定できる。
【００４７】
この発明による実施の形態２によれば、タップ切替器を有する被保護変圧器ＴＲの高圧側および低圧側にそれぞれ設けられた高圧側変流器ＣＴ１および低圧側変流器ＣＴ３を介しそれらの検出電流として高圧側リレー入力電流Ｉ１および低圧側リレー入力電流Ｉ３を取込み、前記被保護変圧器の変成比と前記各変流器の変流比および前記被保護変圧器の接続状況から算出した基準電流Ｉ１Ｎ，Ｉ３Ｎにて前記各リレー入力電流Ｉ１，Ｉ３の整合をとり単純差動判定部２０および比率差動判定部２１において差動演算を行なう変圧器保護用差動継電装置において、前記被保護変圧器から前記タップ切替器の切替位置情報を取得し、前記タップ切替器の切替位置による差動誤差分を算出する差動誤差算出部２５からなる差動誤差算出手段を設け、前記差動誤差算出部２５からなる差動誤差算出手段により算出した前記タップ切替器の切替位置による差動誤差分を加味して単純差動判定部２０および比率差動判定部２１において動作判定を行うようにしたので、差動演算をタップチェンジャー誤差に基づき適切に行うことにより、タップ切替器の切替位置の如何にかかわらず感度が一定で、かつ、微故障の検出を可能にする高感度な特性を有するとともに、ソフトウエアの処理を軽減できる変圧器保護用差動継電装置を得ることができる。
【００４８】
実施の形態３．
この発明による実施の形態３を図５および図６について説明する。図５は実施の形態３における構成を示す機能ブロック図である。図６は実施の形態３における動作特性を示す線図である。
この実施の形態３において、ここで説明する特有の構成以外の構成については、先に説明した実施の形態１と同一の構成内容を具備し、同様の作用を奏するものである。図中、同一符号は同一または相当部分を示す。
【００４９】
図５において、基準電流算出部２３’，２４’には、タップ１およびタップ２からの入力、タップ３およびタップ４からの入力のように、隣合う２タップ分づつ纏めた入力として供給される。
【００５０】
この実施の形態３では、実施の形態１における図２に示すタップ位置情報入力回路を全タップの個数分設けるのではなく、図５に示すように隣合う複数のタップを纏めた入力とすることを特徴とする。
【００５１】
このとき、基準電流Ｉ１Ｎ’およびＩ３Ｎ’の算出は例えば若番のタップ位置における電圧値を用いて算出を行えばよい。
図６に示すように、隣合う複数のタップを纏めたことによるタップチェンジャー誤差が数％生じるが、最大タップチェンジャー誤差を考慮した動作値よりも感度よく設定することができる。
【００５２】
つまり、この実施の形態の変圧器保護継電装置では、タップチェンジャー誤差が数％で抑えられ、最小動作値と比率を感度良く設定できる上に、タップ位置情報入力回路の点数を全タップ数としなくてもよく、ハードウエア費用を軽減することができる。
【００５３】
この発明による実施の形態３においては、実施の形態１の構成において、タップ切替器の位置情報を全タップの個数分ではなく隣合う複数のタップを纏めて入手するようにしたものである。
したがって、入力接点が少なくなりハードウエアを削減することができる。複数タップを纏めることによるタップチェンジャー誤差も数％程度であることから従来の技術よりも最小動作値を高感度に設定できる。
【００５４】
この発明による実施の形態３によれば、実施の形態１における構成において、タップ切替器の切替位置情報を、全タップの個数分ではなく、隣合う複数のタップについて、タップ１およびタップ２、タップ３およびタップ４のように、纏めて取得するようにしたので、タップ切替器の切替位置の如何にかかわらず感度が一定で、かつ、微故障の検出を可能にする高感度な特性を有するとともに、ハードウエア費用を軽減できる変圧器保護用差動継電装置を得ることができる。
【００５５】
実施の形態４．
この発明による実施の形態４を図７について説明する。図７は実施の形態４における構成を示す機能ブロック図である。
この実施の形態４において、ここで説明する特有の構成以外の構成については、先に説明した実施の形態１と同一の構成内容を具備し、同様の作用を奏するものである。図中、同一符号は同一または相当部分を示す。
【００５６】
図７において、タップ１、タップ２…タップ２３から入力される基準電流算出部２３，２４設けられるとともに、タップ２３から入力される入力回路監視処理部２６が設けられる。
【００５７】
この実施の形態４では、タップ位置情報入力回路に入力回路監視処理部２６を設け、タップ位置情報入力回路で不良状態が発生した場合には、従来の構成のように定格電圧を用いて算出された基準電流を使用して演算処理を行い、従来の比率差動特性にて判定を行うことを特徴とする。
すなわち、入力回路監視処理部２６による監視動作によって、タップ位置情報入力回路で不良状態が発生したと判定される場合には、図２における基準電流算出部２３，２４を無視して、定格電圧を用いて算出された基準電流Ｉ１Ｎ，Ｉ２Ｎ，Ｉ３Ｎに基づき整合計算部１１，１２，１３で整合計算を行い、この整合計算に応じて単純差動判定部２０および比率差動判定部２１における差動判定演算を行うものである。
【００５８】
したがって、タップ切替器の位置情報入力回路に不良状態が発生した場合も、従来の比率差動継電器の特性および処理方法とすることで誤動作を防止できる。
【００５９】
この発明による実施の形態４では、実施の形態１における構成において、タップ切替器の位置情報入力回路の入力回路監視を行い監視不良が発生した場合はタップ切替器の位置による差動誤差分の最大値を加味している従来技術の最小動作値へ切替えるとともに基準電流の算出には定格電圧値を使用するようにしたものである。
したがって、タップ切替器の位置情報入力回路に不良が発生した場合も、比率差動継電器の誤動作を防止できる。
【００６０】
この発明による実施の形態４によれば、実施の形態１における構成において、タップ切替器の切替位置情報入力回路の監視を行う入力回路監視処理部２６からなる監視手段を設け、前記入力回路監視処理部２６からなる監視手段によって切替位置情報入力回路に不良状態が発生したと判定される場合は、タップ切替器の切替位置による差動誤差分の最大値を加味した動作値へ切替えるとともに、基準電流算出部２３，２４を無視して、基準電流は定格電圧を用いて算出するようにしたので、タップ切替器の切替位置の如何にかかわらず感度が一定で、かつ、微故障の検出を可能にする高感度な特性を有するとともに、誤動作を防止できる変圧器保護用差動継電装置を得ることができる。
【図面の簡単な説明】
【００６１】
【図１】この発明による実施の形態１における変圧器保護用差動継電装置の全体構成を示すブロック図である。
【図２】この発明による実施の形態１における比率差動継電器の構成を示す機能ブロック図である。
【図３】この発明による実施の形態１における変圧器保護用差動継電装置の動作特性を示す線図である。
【図４】この発明による実施の形態２における比率差動継電器の構成を示す機能ブロック図である。
【図５】この発明による実施の形態３における比率差動継電器の構成を示す機能ブロック図である。
【図６】この発明による実施の形態３における比率差動継電器の構成を示す機能ブロック図である。
【図７】この発明による実施の形態４における比率差動継電器の構成を示す機能ブロック図である。
【符号の説明】
【００６２】
ＴＲ  被保護変圧器、ＣＴ１  高圧側変流器、ＣＴ２  中圧側変流器、ＣＴ３  低圧側変流器、Ａ／Ｄ  アナログ／デジタル変換器、１１，１２，１３  整合計算部、１４  動作量作成部、１５，１６，１７，１８  振幅値演算部、１９  抑制量作成部、２０  単純差動演算部、２１  比率差動演算部、２３，２４  基準電流算出部、２５  タップチェンジャー誤差算出部、２６  入力回路監視処理部、８７  比率差動継電器、ＣＰＵ  演算部。
【図１】
2005073324.tif 000005
【図２】
2005073324.tif 000006
【図３】
2005073324.tif 000007
【図４】
2005073324.tif 000008
【図５】
2005073324.tif 000009
【図６】
2005073324.tif 000010
【図７】
2005073324.tif 000011